(57)【要約】【課題】スピーカボックスの低音域による振動、及び表示装置のキャビネットの振動を抑制することができ、表示装置のキャビネットに取り付け易いスピーカ装置の提供。【解決手段】対向する２面を有するスピーカボックス１にスピーカユニット５が設けられ、スピーカボックス１の外面に端部８が開口するダクトを備えるスピーカ装置。スピーカユニット５を２つ備えており、２つのスピーカユニット５は、向き合うように、対向する２面にそれぞれ設けられている構成である。【選択図】図１
2010252185.tif 000002
【特許請求の範囲】
【請求項１】
対向する２面を有するスピーカボックスにスピーカユニットが設けられ、該スピーカボックスの外面に端部が開口するダクトを備えるスピーカ装置において、
前記スピーカユニットを２つ備えており、該２つのスピーカユニットは、向き合うように、前記２面にそれぞれ設けられていることを特徴とするスピーカ装置。
【請求項２】
前記ダクトを２つ備えており、該２つのダクトは、前記２つのスピーカユニットとの各位置関係が互いに対称的であるように設けられている請求項１記載のスピーカ装置。
【請求項３】
前記スピーカボックスは、前記２つのスピーカユニット間の中点で２つの部屋に仕切られており、該２つの部屋には、それぞれ前記ダクトが設けられている請求項２記載のスピーカ装置。
【請求項４】
請求項１から３迄の何れか１つに記載されたスピーカ装置を１又は複数備えることを特徴とする表示装置。
【発明の詳細な説明】
【技術分野】
【０００１】
本発明は、対向する２面を有するスピーカボックスにスピーカユニットが設けられ、スピーカボックスの外面に端部が開口するダクトを備えるスピーカ装置、及びこのスピーカ装置を備える表示装置に関するものである。
【背景技術】
【０００２】
図１０は、テレビジョン等の表示装置に用いられる従来のスピーカ装置の外観例を示す斜視図（ａ）、及びその断面を部分的に示す部分断面図（ｂ）である。
このスピーカ装置３０は、平板状の略直方体をなすスピーカボックス３１の四角に、表示装置本体に取り付ける為の挿通孔３６を有し、一平面の長手方向の一端部に、幅一杯のスピーカユニット３２が設けられている。
スピーカボックス３１内部には、低音域を補強する為にダクト３５が設けられている。ダクト３５は、スピーカボックス３１内のスピーカユニット３２近傍に設けられた開口部３４と、スピーカボックス３１の外面長手方向の他端部に設けられた開口部３３とを有する。開口部３３は、スピーカユニット３２と同じ方向を向いている。
【０００３】
このような構成のスピーカ装置３０では、スピーカユニット３２の振動板が振動することにより、振動板の表面から全帯域の音声が出力される。一方、振動板の裏面から出力された音声は、スピーカボックス３１内部及びダクト３５を伝わる間にそれらの共鳴作用により、低音域が強調されて、開口部３３から出力される。振動板の表面及び裏面から出力される各音声は、互いに位相が反転している。
【先行技術文献】
【特許文献】
【０００４】
【特許文献１】特開２００８−１８７５９８号公報
【特許文献２】実用新案登録第３１３７０８０号公報
【発明の概要】
【発明が解決しようとする課題】
【０００５】
上述したようなテレビジョン等の表示装置に用いられる従来のスピーカ装置では、スピーカボックスの低音域による振動が表示装置のキャビネットに伝わり、異音（ビビリ音）が発生するという問題がある。例えば、図１０に示すスピーカユニット３２に１５０ＨＺの電気信号を入力して、速度振幅３．２９mm/sで振動させた場合、スピーカボックス３１には、図１１に示すように、８０ＨＺ、速度振幅４．８mm/s、１５０ＨＺ、速度振幅３．２mm/sの２つのピーク振動が発生し、異音の発生源となる。
【０００６】
特許文献１には、背中合わせとなるように配置された２個のスピーカユニットに、同位相の音声信号を入力することにより、スピーカユニット間で互いに略等しい反作用の力を発生させ、発生した反作用の力が打消しあうように構成されたスピーカ装置が開示されている。しかし、このスピーカ装置では、２個のスピーカユニットが背中合わせとなるように配置されている為、音の指向性等でキャビネットに取り付け難いという問題がある。
特許文献２には、ラウドスピーカドライバに取り付けられた構造体に伝達される振動を低減するバッフルの振動低減装置が開示されている。
【０００７】
本発明は、上述したような事情に鑑みてなされたものであり、スピーカボックスの低音域による振動、及び表示装置のキャビネットの振動を抑制することができ、キャビネットに取り付け易いスピーカ装置を提供することを目的とする。
本発明は、また、スピーカボックスの低音域による振動、及び表示装置のキャビネットの振動を抑制することができ、キャビネットに取り付け易いスピーカ装置を備えた表示装置を提供することを目的とする。
【課題を解決するための手段】
【０００８】
本発明に係るスピーカ装置は、対向する２面を有するスピーカボックスにスピーカユニットが設けられ、該スピーカボックスの外面に端部が開口するダクトを備えるスピーカ装置において、前記スピーカユニットを２つ備えており、該２つのスピーカユニットは、向き合うように、前記２面にそれぞれ設けられていることを特徴とする。
【０００９】
このスピーカ装置では、対向する２面を有するスピーカボックスにスピーカユニットが設けられ、スピーカボックスの外面にダクトの端部が開口している。スピーカユニットを２つ備えており、２つのスピーカユニットは、向き合うようにして、スピーカボックスの対向する２面にそれぞれ設けられている。
【００１０】
本発明に係るスピーカ装置は、前記ダクトを２つ備えており、該２つのダクトは、前記２つのスピーカユニットとの各位置関係が互いに対称的であるように設けられていることを特徴とする。
【００１１】
このスピーカ装置では、スピーカボックスの外面に端部が開口しているダクトを２つ備えている。２つのダクトは、２つのスピーカユニットとの各位置関係が互いに対称的であるように設けられている。
【００１２】
本発明に係るスピーカ装置は、前記スピーカボックスは、前記２つのスピーカユニット間の中点で２つの部屋に仕切られており、該２つの部屋には、それぞれ前記ダクトが設けられていることを特徴とする。
【００１３】
このスピーカ装置では、スピーカボックスは、２つのスピーカユニット間の中点で２つの部屋に仕切られている。２つの部屋には、スピーカボックスの外面に端部が開口し、２つのスピーカユニットとの各位置関係が互いに対称的であるダクトが設けられている。
【００１４】
本発明に係る表示装置は、上述した本発明に係るスピーカ装置の何れか１つを１又は複数備えることを特徴とする。
【００１５】
この表示装置では、上述した本発明に係るスピーカ装置を１又は複数備えている。
【発明の効果】
【００１６】
本発明に係るスピーカ装置によれば、スピーカボックスの低音域による振動、及び表示装置のキャビネットの振動を抑制することができ、キャビネットに取り付け易いスピーカ装置を実現することができる。
【００１７】
本発明に係る表示装置によれば、スピーカボックスの低音域による振動、及び表示装置のキャビネットの振動を抑制することができ、キャビネットに取り付け易いスピーカ装置を備えた表示装置を実現することができる。
【図面の簡単な説明】
【００１８】
【図１】本発明に係るスピーカ装置の実施の形態の外観を示す斜視図である。
【図２】図１に示すスピーカ装置のスピーカボックスの一部を除いて示す斜視図及び断面図である。
【図３】本発明に係るスピーカ装置の実施の形態の外観を示す斜視図である。
【図４】図３に示すスピーカ装置のスピーカボックスの一部を除いて示す斜視図及び断面図である。
【図５】本発明に係るスピーカ装置の実施の形態の外観を示す斜視図である。
【図６】図５に示すスピーカ装置のスピーカボックスの一部を除いて示す斜視図及び断面図である。
【図７】本発明に係るスピーカ装置の各実施の形態における低音域の音響特性の例を示す特性図である。
【図８】本発明に係るスピーカ装置の振動特性の例を示す特性図である。
【図９】本発明に係る表示装置の実施の形態の外観を示す斜視図である。
【図１０】テレビジョン等の表示装置に用いられる従来のスピーカ装置の外観例を示す斜視図、及びその断面を部分的に示す部分断面図である。
【図１１】従来のスピーカ装置の振動特性の例を示す特性図である。
【発明を実施するための形態】
【００１９】
以下に、本発明をその実施の形態を示す図面に基づき説明する。
（実施の形態１）
図１は、本発明に係るスピーカ装置の実施の形態１の外観を示す斜視図であり、図２は、このスピーカ装置のスピーカボックスの一部を除いて示す斜視図（ａ）、及び断面図（ｂ）〜（ｄ）である。断面図（ｂ）は、断面図（ｄ）のＣ−Ｃ′で示す断面を、断面図（ｃ）は、断面図（ｂ）のＢ−Ｂ′で示す部分断面を、断面図（ｄ）は、断面図（ｂ）のＡ−Ａ′で示す部分断面をそれぞれ示す。
このスピーカ装置は、断面が略正方形の略筒形状をなすスピーカボックス１の両端部に、２つのスピーカユニット５が向き合うように設けられている。スピーカボックス１は、一側面に平行な面で略等分割される２つの部分２，３を有している。
【００２０】
スピーカボックス１の上面部分には、２つの溝が、長手方向に適長離隔して、長手方向の直角方向に凹設されている。各溝の中途には、溝を塞ぐ壁が部分２側に設けられ、これらの各壁には、スピーカボックス１を表示装置本体に取り付ける為の挿通孔４ａ，４ｂがそれぞれ設けられている。スピーカボックス１の下面部分にも、同様にして、スピーカボックス１を表示装置本体に取り付ける為の挿通孔４ｃが設けられている。
【００２１】
スピーカボックス１内部に形成された部屋９には、部分３側の側面内側に沿うように折り曲げられたダクト７が設けられている。ダクト７の部屋９内部への開口部６は、部屋９の上面直下の一端部よりに設けられている。ダクト７のスピーカボックス１外部への開口部８は、スピーカボックス１の上面直下の部分３側側面に他端部よりに設けられている。ダクト７は、開口部６→適長一端部方向へ→下方へ１８０度屈曲→適長他端部方向へ→上方へ１８０度屈曲→適長一端部方向へ→開口部８のように敷設されている。
【００２２】
スピーカユニット５は、フレーム５ｄの一端部にヨーク５ａが支持され、該ヨーク５ａに支持された環状のマグネット５ｂ及びヨーク５ａが形成した磁気回路の環状の空隙に図示しないボイスコイルが配置されている。ボイスコイルは、音声信号が与えられることにより振動し、フレーム５ｄの他端部及びボイスコイルの間に配置された振動板５ｃを振動させることにより、音声を出力させる。
【００２３】
フレーム５ｄは、一端部の小径筒部と、該小径筒部に径方向の段部を経て連なる他端部の大径筒部と、小径筒部の端縁から内向きに延出されたフランジと、大径筒部から外向きに延出された鍔部とを有する枠体である。
フレーム５ｄの鍔部は、略正方形で四角に挿通孔を有しており、これらの挿通孔とスピーカボックス１に設けられたビス穴とをビス止めすることにより、スピーカユニット５がスピーカボックス１に固定される。
【００２４】
このような構成のスピーカ装置では、２つのスピーカユニット５に同位相の音声信号を与えられると、各スピーカユニット５の振動板５ｃが振動して音声が出力される。各振動板５ｃにより出力された音声は、開口部６からダクト７へ入力されて伝搬し、開口部８から出力される。音声は、ダクト７内を伝搬する間に、高中音域が減衰し、低音域が共鳴作用により強調されて出力される。
各スピーカユニット５の振動板５ｃが振動してスピーカボックス１に伝わった振動は、スピーカユニット５が向き合っているので、互いに反作用の力となって打消し合う。その為、スピーカボックス１の振動は抑制され、スピーカボックス１が取り付けられた表示装置のキャビネットへ伝わる振動も抑制されるので、異音が発生しない。
【００２５】
（実施の形態２）
図３は、本発明に係るスピーカ装置の実施の形態２の外観を示す斜視図であり、図４は、このスピーカ装置のスピーカボックスの一部を除いて示す斜視図（ａ）、及び断面図（ｂ）〜（ｄ）である。断面図（ｂ）は、断面図（ｃ）のＦ−Ｆ′で示す断面を、断面図（ｃ）は、断面図（ｂ）のＥ−Ｅ′で示す部分断面を、断面図（ｄ）は、断面図（ｂ）のＤ−Ｄ′で示す部分断面をそれぞれ示す。
このスピーカ装置は、断面が略正方形の略筒形状をなすスピーカボックス１ａの両端部に、２つのスピーカユニット５が向き合うように設けられている。スピーカボックス１ａは、一側面に平行な面で略等分割される２つの部分２ａ，３ａを有している。
【００２６】
スピーカボックス１ａの上面部分には、２つの溝が、長手方向に適長離隔して、長手方向の直角方向に凹設されている。各溝の中途には、溝を塞ぐ壁が部分２ａ側に設けられ、これらの各壁には、スピーカボックス１ａを表示装置本体に取り付ける為の挿通孔４ａ，４ｂがそれぞれ設けられている。スピーカボックス１ａの下面部分にも、同様にして、スピーカボックス１ａを表示装置本体に取り付ける為の挿通孔４ｃが設けられている。
【００２７】
スピーカボックス１ａ内部に形成された部屋９には、部分３ａ側の側面内側に沿うように折り曲げられた２つのダクト７ａ，７ｂが設けられている。ダクト７ａ，７ｂは、２つのスピーカユニット５との各位置関係が互いに対称的になるように設けられている。
ダクト７ａ，７ｂの部屋９内部への開口部６ａ，６ｂは、部屋９の下面直上のそれぞれのスピーカユニット５近傍に設けられている。ダクト７ａ，７ｂのスピーカボックス１ａ外部への開口部８ａ，８ｂは、それぞれ開口部６ａ，６ｂの直上に設けられている。ダクト７ａ，７ｂは、部屋９内でなるべく長くなるように、複数回屈曲されて敷設されている。スピーカユニット５は、上述した実施の形態１の場合と同様であるので、説明を省略する。
【００２８】
このような構成のスピーカ装置では、２つのスピーカユニット５に同位相の音声信号を与えられると、各スピーカユニット５の振動板５ｃが振動して音声が出力される。各振動板５ｃにより出力された音声は、開口部６ａ，６ｂからダクト７ａ，７ｂへそれぞれ入力されて伝搬し、開口部８ａ，８ｂから出力される。音声は、ダクト７ａ，７ｂ内を伝搬する間に、高中音域が減衰し、低音域が共鳴作用により強調されて出力される。
【００２９】
各スピーカユニット５の振動板５ｃが振動してスピーカボックス１ａに伝わった振動は、スピーカユニット５が向き合っているので、互いに反作用の力となって打消し合う。その為、スピーカボックス１ａの振動は抑制され、スピーカボックス１ａが取り付けられた表示装置のキャビネットへ伝わる振動も抑制されるので、異音が発生しない。
【００３０】
（実施の形態３）
図５は、本発明に係るスピーカ装置の実施の形態３の外観を示す斜視図であり、図６は、このスピーカ装置のスピーカボックスの一部を除いて示す斜視図（ａ）、及び断面図（ｂ）〜（ｄ）である。断面図（ｂ）は、断面図（ｄ）のＪ−Ｊ′で示す断面を、断面図（ｃ）は、断面図（ｂ）のＨ−Ｈ′で示す部分断面を、断面図（ｄ）は、断面図（ｂ）のＧ−Ｇ′で示す部分断面をそれぞれ示す。
このスピーカ装置は、断面が略正方形の略筒形状をなすスピーカボックス１ｂの両端部に、２つのスピーカユニット５が向き合うように設けられている。スピーカボックス１ｂは、一側面に平行な面で略等分割される２つの部分２ｂ，３ｂを有している。
【００３１】
スピーカボックス１ｂの上面部分には、２つの溝が、長手方向に適長離隔して、長手方向の直角方向に凹設されている。各溝の中途には、溝を塞ぐ壁が部分２ｂ側に設けられ、これらの各壁には、スピーカボックス１ｂを表示装置本体に取り付ける為の挿通孔４ａ，４ｂがそれぞれ設けられている。スピーカボックス１ｂの下面部分にも、同様にして、スピーカボックス１ｂを表示装置本体に取り付ける為の挿通孔４ｃが設けられている。
【００３２】
スピーカボックス１ｂ内部は、２つのスピーカユニット５間の中点で２つの部屋９ａ，９ｂに仕切られている。各部屋９ａ，９ｂ内部には、部分３ａ側の側面内側に沿うように折り曲げられたダクト７ｃ，７ｄがそれぞれ設けられている。ダクト７ｃ，７ｄは、２つのスピーカユニット５との各位置関係が互いに対称的になるように設けられている。
ダクト７ｃ，７ｄの部屋９ｃ，９ｄ内部への開口部６ｃ，６ｄは、部屋９ｃ，９ｄの下面直上のそれぞれのスピーカユニット５近傍に設けられている。ダクト７ｃ，７ｄのスピーカボックス１ｂ外部への開口部８ｃ，８ｄは、それぞれ開口部６ｃ，６ｄの直上に設けられている。ダクト７ｃ，７ｄは、部屋９ａ，９ｂ内でなるべく長くなるように、複数回屈曲されて敷設されている。スピーカユニット５は、上述した実施の形態１の場合と同様であるので、説明を省略する。
【００３３】
このような構成のスピーカ装置では、２つのスピーカユニット５に同位相の音声信号を与えられると、各スピーカユニット５の振動板５ｃが振動して音声が出力される。各振動板５ｃにより出力された音声は、それぞれの開口部６ｃ，６ｄからダクト７ｃ，７ｄへ入力されて伝搬し、開口部８ｃ，８ｄから出力される。音声は、ダクト７ｃ，７ｄ内を伝搬する間に、高中音域が減衰し、低音域が共鳴作用により強調されて出力される。
【００３４】
各スピーカユニット５の振動板５ｃが振動してスピーカボックス１ｂに伝わった振動は、スピーカユニット５が向き合っているので、互いに反作用の力となって打消し合う。その為、スピーカボックス１ｂの振動は抑制され、スピーカボックス１ｂが取り付けられた表示装置のキャビネットへ伝わる振動も抑制されるので、異音が発生しない。
尚、２つのスピーカユニット５に同位相のステレオ音声信号を与えた場合も、同様の効果を得ることができる。また、１つのスピーカボックス１ｂでステレオ効果を得ることができる。
【００３５】
図７は、上述した実施の形態１，２，３の各低音域の音響特性の例を示す特性図である。グラフａは、２部屋２ダクト２ポート（外部への開口部）（実施の形態３）の音響特性、グラフｂは、１部屋２ダクト２ポート（実施の形態２）の音響特性、グラフｃは、１部屋１ダクト１ポート（実施の形態１）の音響特性をそれぞれ示す。
部屋の容量が大きくダクトが長い程、低音域へ延びる効果が大きく、低音域の効果をそれぞれの構成で使い分けすることができる。
【００３６】
図８は、実施の形態３のスピーカ装置で、各スピーカユニット５に１２５ＨＺの電気信号を入力して、速度振幅２．１６mm/sで振動させた場合のスピーカボックス１ｂの振動特性を示す特性図である。
ここでは、２部屋２ダクト２ポートであり、６０ＨＺ、速度振幅２．５mm/s、１２５ＨＺ、速度振幅２．１mm/sの２つのピーク振動が発生するが、図１１に示す従来のスピーカ装置の場合と比較して、周波数及び速度振幅入力の違いを考慮しても、スピーカボックスの振動が抑制されている。
【００３７】
（実施の形態４）
図９は、本発明に係る表示装置の実施の形態４の外観を示す斜視図である。
上述した実施の形態１〜３のスピーカ装置は、薄型テレビ等の略直方形をなす表示装置２５の下部に取り付けられる。この表示装置２５は、テレビ画像等を表示する表示面２０ａを有し、略長方形をなす表示部２０と、表示部２０の周縁部を取り囲むフロントキャビネット２１と、表示部２０の後側を覆うリアキャビネット２２と、表示部２０を起立状態に支持するスタンド２３とを備えている。また、表示部２０の下部左右両側に取り付けられた図示しない２つのスピーカ装置を備えている。
【００３８】
フロントキャビネット２１の下部には、横長の矩形をなし、両端側に図示しない複数の放音孔を有するスピーカ取付板２４が一体成形されており、スピーカ取付板２４の後面で、放音孔に対応する箇所に２つのスピーカ装置が取り付けられている。また、スピーカ取付板２４の前面にパンチングプレート等の装飾板が取り付けられている。
【００３９】
スピーカ装置の取り付けは、挿通孔４ａ，４ｂ，４ｃに挿通されるボルトを、スピーカ取付板２４の両側部に開設されている螺子孔に緊締することにより行う。取り付けられたスピーカ装置は、それぞれの外部への開口部が放音孔の後方に配置されている。
スピーカ装置は、実施の形態１〜３で説明したように、スピーカボックスの低音域による振動が抑制されるので、表示装置２５のフロントキャビネット２１、リアキャビネット２２、表示部２０等へ伝わる振動も抑制され異音が発生しない。
【００４０】
尚、実施の形態で説明した２部屋２ダクト２ポートのスピーカ装置であれば、ステレオ再生が可能であるので、スピーカ取付板２４の前面中央に１つ取り付ければ良い場合もある。また、本発明に係るスピーカ装置をウーファとして使用する場合は、左右の中高音用のスピーカを別途取り付ければ良い。
【符号の説明】
【００４１】
１，１ａ，１ｂ  スピーカボックス
４ａ，４ｂ，４ｃ  挿通孔
５  スピーカユニット
６，６ａ，６ｂ，６ｃ，６ｄ  （内部の）開口部
７，７ａ，７ｂ，７ｃ，７ｄ  ダクト
８，８ａ，８ｂ，８ｃ，８ｄ  （外部への）開口部
９，９ａ，９ｂ  部屋
２０  表示部
２１  フロントキャビネット
２２  リアキャビネット
２４  スピーカ取付板
２５  表示装置
【図１】
2010252185.tif 000003
【図２】
2010252185.tif 000004
【図３】
2010252185.tif 000005
【図４】
2010252185.tif 000006
【図５】
2010252185.tif 000007
【図６】
2010252185.tif 000008
【図７】
2010252185.tif 000009
【図８】
2010252185.tif 000010
【図９】
2010252185.tif 000011
【図１０】
2010252185.tif 000012
【図１１】
2010252185.tif 000013